(57)【要約】  【課題】テーブル用の脚装置において、種類が異なる脚装置に部材を共用でき、しかも組み立て作業性や堅牢性も確保できる構造とする。  【手段】脚装置２は、脚柱３と下部材４と上部材５とを備えている。脚柱３には係合穴１０が空いており、下部材４と上部材５とには係合穴１０に嵌まる突起１２，１６が形成されている。突起１２，１６と係合穴１０との嵌まり合いによって脚柱３と上下部材４，５との相対姿勢が保持される。上下部材１４と脚柱３との締結は上下方向に延びるねじ１４で行われる。上部材５の先端には受け座６が固定されている。受け座６には横向きに延びる係止部３６が形成されており、係止部３６に補強用のビーム３５が固定される。【選択図】          図４
2006000513.tif 000002
【特許請求の範囲】
【請求項１】
鉛直方向に延びる脚柱と、前記脚柱の下部に固定されると共に床に接地する棒状の下部材と、前記脚柱の上部に固定されて天板を支持する棒状の上部材とを備えており、前記上部材及び下部材を、脚柱に固定された基端部から先端に向けて脚柱から遠ざかるアーム状に形成しているテーブル用脚装置であって、
前記上部材と脚柱及び下部材と脚柱とに、上下方向から嵌まり合って相対姿勢を保持する嵌合部がそれぞれ形成されている、
デーブル用脚装置。
【請求項２】
前記脚柱には、当該脚柱の嵌合部を成す非円形の係合穴が上下両端面に開口するように形成されている一方、前記下部材には前記係合穴に下方から嵌合する上向き突起が、前記上部材には前記係合穴に上方から嵌合する下向き突起がそれぞれ形成されており、下部材の上向き突起と上部材の下向き突起とをそれぞれ脚柱に対する嵌合部と成している、
請求項１に記載したテーブル用脚装置。
【請求項３】
前記脚柱は、上部材及び下部材が１本ずつ固定されるタイプと複数本ずつ固定されるタイプとの複数種類が存在しており、各タイプの脚柱における係合穴を同一断面形状とすることにより、複数種類の脚柱に同一種類の上部材及び下部材とを取り付け可能としている、
請求項２に記載したテーブル用脚装置。
【請求項４】
前記上部材は先端に行くに従って高さが高くなるように水平に対して傾斜している一方、前記下部材は先端に行くに従って高さが低くなるように水平に対して傾斜しており、下部材の傾斜角度を上部材の傾斜角度よりも大きくしている、
請求項１〜３のうちの何れかに記載したテーブル用脚装置。
【請求項５】
前記上部材の先端部には天板に固定される受け座が取り外し可能に取り付けられている、
請求項１〜４のうちの何れかに記載したテーブル用脚装置。
【請求項６】
前記受け座に、天板の下面に沿って水平状に配置された補強部材の先端が嵌合する係止部を形成することにより、水平方向に隔てた２の受け座をビームで連結することが可能ならしめられており、更に、受け座を水平姿勢変更可能な状態で上部材に取り付けることにより、ビームと上部材との平面姿勢が変わってもビームと受け座とが嵌合することを許容している、
請求項５に記載したテーブル用脚装置。
【請求項７】
請求項１〜６に記載した脚装置のうちのいずれかを備えているテーブル。
【発明の詳細な説明】
【技術分野】
【０００１】
本願発明は、テーブル及びその脚装置に関するものである。
【背景技術】
【０００２】
テーブルはテーブルを脚装置で支持した構造になっており、脚装置として様々の構成のものが提案されている。脚装置の改良に関する１つのアプローチとして、脚装置を分割方式にすることが提案されている。
【０００３】
その一例として、特許文献１には、脚装置を、円筒状の脚柱と、脚柱の下端に固定されたアーム状の脚ベース体と、脚柱の上端に固定された受座と、受座に固定されたアーム状の天板支持体とを主要素とした構成とし、脚ベースを任意の平面姿勢で脚柱に固定することが記載されている。また、水平方向に隔てた２つの受座を棒状の連結体で連結して補強することも記載されている。
【特許文献１】特開２００２−１９１４４３号公報
【発明の開示】
【発明が解決しようとする課題】
【０００４】
脚装置を複数の部材からなる分割方式にすると、脚装置の高さや大きさが異なっても部材を共用できる利点がある。しかし、特許文献１の構成では天板支持体は受座を介して脚柱に固定されるため、特に受座に対する天板支持体の固定箇所の強度が低くなる虞があった。また、１本の脚柱には１本の脚ベースしか固定できないため、例えば１つの脚装置で天板を支持する小型のテーブルには適用できないといった点も問題であった。
【０００５】
また、特許文献１では天板をテーブル支持体の先端部にねじで直接に固定しているが、テーブル支持体の先端部の面積が小さいと天板の固定強度が劣り、さりとて、テーブル支持体の先端部の面積を大きくすると梱包や保管において取り扱いか面倒になる。
【０００６】
ところで、天板が長方形の大型テーブルの場合、天板を複数の脚装置で支持することになり、その場合、隣り合った脚装置をビームで連結して補強するのが好ましい。そこで特許文献１では、脚柱の上端に取り付けた受座同士をビームで連結しているが、これではいわば前後に隣り合った脚柱の上端間を連結するのと同じになるため、連結強度が低いという問題があった。
【０００７】
本願発明は、このような現状を改善することを主たる課題とするものである。
【課題を解決するための手段】
【０００８】
請求項１の発明は、鉛直方向に延びる脚柱と、前記脚柱の下部に固定されると共に床に接地する棒状の下部材と、前記脚柱の上部に固定されて天板を支持する棒状の上部材とを備えており、前記上部材及び下部材を、脚柱に固定された基端部から先端に向けて脚柱から遠ざかるアーム状に形成しているテーブル用脚装置であって、前記上部材と脚柱及び下部材と脚柱とに、上下方向から嵌まり合って相対姿勢を保持する嵌合部がそれぞれ形成されている。
【０００９】
請求項２の発明は、請求項１において、前記脚柱には、当該脚柱の嵌合部を成す非円形の係合穴が上下両端面に開口するように形成されている一方、前記下部材には前記係合穴に下方から嵌合する上向き突起が、前記上部材には前記係合穴に上方から嵌合する下向き突起がそれぞれ形成されており、下部材の上向き突起と上部材の下向き突起とをそれぞれ脚柱に対する嵌合部と成している。
【００１０】
請求項３の発明は、請求項２において、前記脚柱は、上部材及び下部材が１本ずつ固定されるタイプと複数本ずつ固定されるタイプとの複数種類が存在しており、各タイプの脚柱における係合穴を同一断面形状とすることにより、複数種類の脚柱に同一種類の上部材及び下部材とを取り付け可能としている。
【００１１】
請求項４の発明は、請求項１〜３のうちの何れかにおいて、前記上部材は先端に行くに従って高さが高くなるように水平に対して傾斜している一方、前記下部材は先端に行くに従って高さが低くなるように水平に対して傾斜しており、下部材の傾斜角度を上部材の傾斜角度よりも大きくしている。
【００１２】
請求項５の発明は、請求項１〜４のうちの何れかにおいて、前記上部材の先端部には天板に固定される受け座が取り外し可能に取り付けられている。また、請求項６の発明は、請求項５において、前記受け座に、天板の下面に沿って水平状に配置されたビームの先端が嵌合する係止部を形成することにより、水平方向に隔てた受け座をビームで連結することが可能ならしめられており、更に、受け座を水平姿勢変更可能な状態で上部材に取り付けることにより、ビームと上部材との平面姿勢が変わってもビームと受け座とが嵌合することを許容している。
【００１３】
本願発明は、請求項１〜６に記載した脚装置のうちのいずれかを備えているテーブルも備えている。
【発明の効果】
【００１４】
本願発明では、天板が取り付く上部材は脚柱に固定しているため、過度に頑丈な構造にしなくても高い強度を確保することができる。また、脚柱と上部材と下部材との相互の平面姿勢は一定に保持されるため、組み立て作業に手間が掛かることもない。
【００１５】
請求項２のように構成すると、突起が脚柱の係合穴に嵌合することによって上部材及び下部材は脚柱から張り出した状態に保持されるため、強度を一層向上させることができる。
【００１６】
請求項３のように構成すると、例えば一つの脚装置のみで天板を支持するタイプや複数の脚装置で天板を支持するタイプに上部材及び下部材を共用できるため、テーブル群全体としてコストを抑制することができる。
【００１７】
ところで、上部材及び下部材は脚柱からアーム状に延びているため、荷重は上部材及び下部材にモーメントとして作用する。特に、下部材の先端は自由端になっているので大きな曲げモーメントが作用することになる（上部材は先端が天板に固定されているので、作用する曲げモーメントは小さい）。そして、特許文献１では脚ベース（下部材）は水平状に延びているため、荷重の全部が脚ベースに曲げモーメントとして作用することになり、このため脚柱との取り付け箇所に大きな負担が掛かることになる。
【００１８】
他方、本願の請求項４のように下部材を水平（及び鉛直線）に対して傾斜させると、下部材にかかる荷重は下部材に対する軸方向の圧縮力と曲げモーメントとに分散されるため、脚柱との固定箇所に作用する負担を軽減することができ、このため過度に頑丈な構造にしなくても必要な強度を確保できる。また、上部材の傾斜姿勢は小さいため、人がテーブルを使用するに際して膝が当たるようなことを防止でき、テーブルの使い勝手が悪化することはない。
【００１９】
請求項５のように構成すると、天板は受座を介して上部材で支持されるが、受座の面積を大きくすることによって天板の支持強度を向上でき、しかも、保管や運搬に際しては上部材と受座とを別々に梱包することにより、取り扱いの手間を軽減することができる。
【００２０】
ところで、長方形の天板を複数の脚装置で支持した大型テーブルの場合、脚装置は天板の長手方向に沿った複数箇所に配置されており、各脚装置において上部材が天板を横切る方向に延びることになり、従って、請求項５の受座は天板の長手両側縁に近い部分に配置されることになる。
【００２１】
そして、天板の長手方向に沿って配置された受座をビームで連結してテーブルを補強できるが、受座は天板の長手側縁に近い部分に配置されているため、天板の一方の長手側縁に沿って延びるビームと他方の長手側縁に沿って延びるビームとの間隔は必然的に広がることになり、このため、補強機能を向上できる。
【００２２】
受座をビームで連結するにおいて、受座にビームが嵌合する係止部を設けると連結強度をより向上できるが、この場合、請求項６のように構成すると、上部材の平面姿勢を変えても受座同士をビームで連結できるため、天板の支持態様の違いやデザインの変更に柔軟に対応できる利点である。
【発明の実施形態】
【００２３】
次に、本願発明の実施形態を図面に基づいて説明する。
【００２４】
(1).第１実施形態（図１〜図10）
図１〜図１０では第１実施形態を示している。図１はテーブルの一部破断平面図、図２は正面図である。
【００２５】
このテーブルは天板１を１つの脚装置２で支持した小型のものであり、脚装置２は、鉛直方向に延びる１本の脚柱３と、脚柱３の下端から四方に延びる４本の下部材４と、脚柱３の上端から四方に延びる４本の上部材５とを備えており、各上部材５の先端には受け座６を取付け、受け座６に天板１をねじで固定している。各下部材４の先端にアジャスタ７を取付けている（キャスターを取付けても良い）。
【００２６】
下部材４と上部材５とは平面視で重なっており、平面視での長さは下部材４が上部材５よりも僅かに長くなっている（勿論、両部材４，５の長さは任意に設定できる）。また、上下部材４，５とも水平に対して傾斜しているが、上部材５の傾斜角度は約１０°程度で下部材４の傾斜角度は４５°程度に設定している。天板１は平面視略正方形に形成しているが、長方形や円形（真円形）、或いは楕円形などでもよいことはいうまでもない。
【００２７】
以下、脚装置１の詳細を図３以下の図面も参照して説明する。図３のうち（Ａ）は分離正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、図４のうち（Ａ）は分離斜視図、（Ｂ）は上部材５をひっくり返した状態での部分斜視図、図５は図２の V-V視断面図、図６は図２のVI−VI視断面図、図７は図５の VII-VII視断面図、図８は脚柱３の平面図、図９は上部材４と受け座６との分離平面図、図１０は図１の X-X視断面図である。
【００２８】
(a).下部構造
図４〜６や図８に示すように、脚柱３は全体として平面視十字状の中空に形成されており、角柱部３ａの各片の外側に中空状の突出部３ｂを有する基本形態になっており、突出部３ｂは平面視略カマボコ形に形成されている。そして、突出部３ｂの内部にはみ出る状態で角柱部３ａの各片から突条９が突出しており、この突条９を挟んだ両側を請求項に記載した係合穴１０と成し、かつ、突条９にはその先端に開口した溝条１１を形成している。
【００２９】
本実施形態の脚柱３はアルミ等の金属の押し出し成形品であり、このため全長にわたって同じ断面形状になっている。もちろん、ダイキャスト製や樹脂製、或いは板金製とすることも可能である。溝条１１に代えて中空穴を形成しても良い。
【００３０】
本実施形態の下部材４は例えばアルミダイキャスト製であり、基端部（上部）４ａは鉛直状に立ち上がっており、脚柱３の突出部４ｂと重なる平面形状になっている。そして、下部材４の上端面に、脚柱３の係合穴１０にきっちり嵌合する一対の上向き突起１２を一体に形成している。更に、基端部４ａには、脚柱３の溝条１１と同心の取付け穴１３が上下に貫通しており、図７に明示するように、取付け穴１３に下方から挿入したねじ１４を脚柱３の溝条１１にねじ込んでいる。
【００３１】
敢えて述べるまでもないが、取付け穴１３の下部はねじ１４の頭が重なるように座ぐり加工されている。ねじ１４としては、通常のボルト（或いはビス）を使用しても良いし、タップ立てが不要なタッピンねじでもよい。下部材４のうち床に面する面には２条の補強リブ１５を形成しており、この補強リブ１５は脚柱３を支える機能も備えている。なお、下部材４の素材や加工方法は任意に選択できる。
【００３２】
(b).上部構造
上部材５もアルミ等のダイカスト製品であり、基端部（下端部）５ａは短いながらも鉛直状に延びており、脚柱３の突出部３ｂと重なる平面形状に形成されている。
【００３３】
そして、基端部５ａには、脚柱３の係合穴１０にきっちり嵌合する一対の下向き突起１６を一体に形成している。更に、基端部５ａには、脚柱３の溝条１１と同心の取付け穴１７が上下に貫通しており、図７に明示するように、取付け穴１７に上方から挿入したねじ１４を脚柱３の溝条１１にねじ込んでいる。
【００３４】
上部材５にも上向きの補強リブ１８が一対形成されている。また、基端部５ａには、脚柱３の角柱部３ａに向けて突出するはみ出し部１９が形成されている。上部材５の先端部（上端部）には円形のボス部２０が上向きに突出するように一体に形成されている。
【００３５】
受け座６は平面視円形で正面視逆台形状に形成されているが、その直径は上部材５の幅寸法よりも遥かに大きい（例えば３倍以上）寸法に設定されている。そして、受け座６の中心部には、上部材５のボス部２０に嵌合する下向き穴２２が開口しており、受け座５の中心に空けた中心穴２３に上方から挿通したねじ２４を上部材５のボス部２０に形成した雌ねじ穴２５にねじ込んでいる。中心穴２３はねじ２４の頭を隠すために座ぐり加工されている。
【００３６】
受け座６の周縁部には多数の天板固定用穴２６が空いており、この天板固定用穴２６に下方から挿通したビス２７で天板１に固定している。
【００３７】
上部材５におけるボス部２０の上面のうち、雌ねじ穴２５を挟んで上部材５の長手に沿った両側に一対の穴２８を設け、この穴２８に位置決めピン２９を嵌合させている一方、受け座６には、位置決めピン２９に嵌合する位置決め穴３０を空けている。
【００３８】
この場合、位置決め穴３０は、中心穴２３を挟んだ両側に円周方向に沿って３個ずつ空けている。隣合った位置決め穴３０のピッチ角度θ（図９参照）は例えば３０°に設定している（勿論、他の角度でも良いし、また、位置決め穴３０の個数に限定はない）。
【００３９】
なお、位置決め穴３０は上下に貫通しているが、下方にのみ開口していても良い。また、位置決めピン２９を受け座６に下向き突設して、位置決め穴３０を上部材５のボス部２０に形成しても良い。更に、ボス部２０と受け座６とに複数ずつの位置決め穴３０を形成して、位置決めピン２９を位置決め穴３０に抜き差し自在な構成とすることも可能である）。
【００４０】
受け座６のうち位置決め穴３０よりも外側の部位には、ねじ３１を上方から挿通できる３個ずつの補助穴３２が空いており、この補助穴３２に挿通したねじ３１を上部材５にねじ込みできるようになっている（このため、上部材５のうちボス部２０よりも基端側の部位にはタップ穴３３が空いている）。各補助穴３２は位置決め穴３０の延長線上に位置している。
【００４１】
受け座６の外周縁には、角管状の補強用ビーム３５が嵌合し得る断面略角形の係止部３６を水平外向きに突設している。この係止部３６は、中央に位置した２つの位置決め穴３０及び補助穴３２を結ぶ線３４と平面視で直交した方向に延びており、また、係止部３６には上下に貫通した雌ねじ穴３７を空けている。
【００４２】
受け座６に係止部３６が横向き突設しており、かつ、位置決め穴３０及び補助穴３２が３対ずつ空いているため、受け座６は、係止部３６が上下部材４，５と直交した方向に向いた基本姿勢と、基本姿勢に対して係止部３６を円周方向の両側に振り分けた２つの姿勢との３つの姿勢において上部材５に固定できる（なお、本実施形態ではビーム３５は使用しない）。図９に一点鎖線で示すよう、係止部３６を受け座６の中心を挟んだ両側に設けることも可能である。
【００４３】
(c).まとめ
以上の構成において、下部材４の群と上部材５の群とは１本の脚柱３にねじ止めされているため、長さの異なる脚柱３を複数種類揃えておくことにより、高さの異なるテーブルに上部材５及び下部材４並びに受け座６を共用できる。
【００４４】
また、下部材４と上部材５とは脚柱３に対して１つの姿勢でしか固定できないため、各部材４，５の取付け姿勢を誤るようなことはなく、組み立て作業を迅速に行える。更に、直径の大きい受け座６を介して天板１を支持できるため、天板１の支持強度も向上できる。本実施形態のように脚柱３の突条９を挟んだ両側に係合穴１０を形成して、突条９に形成した溝条にねじ１４をねじ込む方式にすると、下部材４及び上部材５の基端部４ａ，５ｂはその略中心部においてねじ１４で脚柱３に固定されため、固定強度において優れている利点がある。
【００４５】
なお、本実施形態では１本の脚柱３に４本の上下部材４，５を固定しているが、１本の脚柱３に３本又は５本以上の上下部材４，５を固定する仕様とすることも可能である。
【００４６】
図８に示すように、脚柱３の係合穴１０には平面視三角形の溝２１ａを形成する一方、上下部材４，５の突起１２，１６には前記溝２１ａに嵌合するリブ２１ｂを形成している。このようにすると、ガタ付きをなくして固定強度をより向上できる利点がある。
【００４７】
(2).第２実施形態（図11〜図15）
図１１〜図１５では第２実施形態を示している。図１１は天板１を仮想線で示した平面図、図１２は図１１のXII-XII 視図、図１３は図１２のXIII−XIII視側面図、図１４は受け座６の部分の一部破断平面図、図１５は図１４のXV−XV視断面図である。
【００４８】
この実施形態では左右一対の脚装置２で横長の天板１を支持しており、左右の脚装置２は、１本の脚柱３と前後２本ずつの上下部材４，５を備えている。また、左右の受け座６は補強用のビーム３５で連結されている。
【００４９】
この実施形態の脚柱３は、１つの角柱部３ａを挟んだ両側に２つの突出部３ｂを備えた形態になっており、このため、脚装置２はすっきりとした体裁になっている。上下部材４，５の第１実施形態と同じ構造である。
【００５０】
この実施形態では、上部材５は平面視で天板１の長手方向と直交する方向に延びており、このため、受け座６の係止部３６も天板１の長手方向と平行な方向に突出している。このため、左右に隔てた受け座６の係止部３６にビーム３５の端部を差し込んで、ビス３８で固定している。ビーム３５は天板１の下面に密着するように設定している。
【００５１】
前後の上部材５は天板１の幅方向に延びており、このため、前後受け座６の間隔は大きな寸法になり、従って前後ビーム３５の間隔寸法も大きくなる。従って、左右の脚装置２と前後ビーム３５とからなる骨組みを大型化して、テーブルを頑丈な構造にすることができる。
【００５２】
ビーム３５で連結される左右の受け座６の係止部３６は相対向している。従って、仮に位置決め穴３０と補助穴３２とを軸心の片側だけに形成すると、係止部３６が右向きになったものと左向きになったものとの２種類を製造しなければならない。これに対して本実施形態では、位置決め穴３０と補助穴３２との群が中心を挟んだ両側に形成されているため、１種類の受け座６を左右の脚装置１に共用でき、それだけコストを抑制できる。
【００５３】
(3).第３実施形態（図16〜図22）
図１６〜図２２では第３実施形態を示している。図１６は天板１を仮想線で示した平面図、図１７（Ａ）は図１６の側面図である。この実施形態では、左右に長い天板１をエンド脚装置２′とその間に位置した中間脚装置２″とで支持しており、左右に隣合った受け座６はビーム３５で連結し、左右に隣合った脚装置２′，２″はパイプ製のセンターフレーム４０で連結している（なお、中間脚装置２″を複数並設しても良い）。
【００５４】
そして、この実施形態では、各脚装置２′，２″は前後２本の脚柱３を備えていて両者はその下部を継手４１，４２で連結されており、左右に隣合った継手４１，４２がセンターフレーム４０で連結されており、また、中間脚装置２″の上下部材４，５は平面視で天板１の中手方向と直交する方向に延びているのに対して、エンド脚装置２′では上下部材４，５は平面視で天板１の幅方向に延びる線に対してθだけ傾斜している。
【００５５】
以下、図１７（Ｂ）以下の図面も参照して詳述する。図１７のうち（Ｂ）は中間脚装置２″の脚柱３を図１７（Ａ）のＢ−Ｂ線で切断した断面図、図１７のうち（Ｃ）はエンド脚装置２′の脚柱３を図１７（Ａ）のＣ−Ｃ線で切断した断面図であ、図１８は図１６の XVIII-XVIII視断面図、図１９は中間脚装置２″の分離斜視図、図２０はエンド脚装置２′の平面図、図２１はエンド継手の側面図、図２２は脚柱３の変形例の平面図である。なお、図１７（Ａ）では中間脚装置２″を表示している。
【００５６】
図１７（Ｂ）（Ｃ）に示すように、この実施形態の脚柱３は２つの係合穴１０を有する中空状に形成されており、両係合穴１０を区画するブロック部にセンター穴４３が空いている。
【００５７】
また、上下部材４，５のリブ１５，１８と重なる縦長リブ４４が全長にわたって延びている。上下部材４，５は前述の実施形態と同じ構造であり、脚柱３に対する上部材５の取付け方法は前述の実施形態と基本的には同じで、ねじ１４を脚柱３のセンター穴４３にねじ込んでいる。他方、下部材４の取付け構造は従前の実施形態とは相違している。この点を次に説明する。
【００５８】
まず、中間脚装置２″について説明する。図１９から容易に理解できるように、中間脚装置２″における中間継手４２は、天板１の長手方向と同じ方向に延びる軸部４２ａを備えており、軸部４２ａには、センターフレーム４０が固定される左右一対のボス部４２ｃと、上部材５における一対のリブ１５の間の空間に嵌まり込む柱部４２ｃと、下部材４における基部４ａの下面に形成した凹所に嵌まり込む張り出し部４２ｄとを一体に設けている。
【００５９】
中間継手４２の支柱部４２ｃはビス４５で下部材４に固定されるようになっており、このため、支柱部４２ｃには貫通穴４６ａが、下部材４の基部４ａにはにはねじ穴４６ｂが空いている。また、中間継手４２の張り出し部４２ｄには、脚柱３のセンター穴４３と同心の貫通穴４７が空いており、ねじ１４をセンター穴４３にねじ込むことにより、中間継手４２と下部材４と脚柱３とを共締めしている。
【００６０】
次に、エンド継手４１について説明する。例えば図２０に示すように、エンド継手４１も軸部４１ａを備えているが、その性質から、ボス部４１ｂは片側だけに形成している。また、軸部４１ａから平面視でハ字状に延びる前後一対の枝部４１ｃを突設しており、枝部４１ｃの先端部に柱部４１ｄを形成し、更に、枝部４１ｃの先端部に張り出し部４１ｅを形成している。
【００６１】
エンド継手４１は中間継手４２と基本的には同じであり、相違点は、枝部４１ｄがあることと柱部４１ｄの平面姿勢が傾いているだけである。下部材４への取付け方法は中間継手４２と同じである。
【００６２】
なお、各脚装置１，２′，２″において上下部材４，５は長さが同じである一方、エンド脚装置２′の箇所では上下部材４，５は天板１の幅方向線に対して傾斜しているため、エンド脚装置２′の箇所では前後脚柱３の間に間隔が空くことになる。このため、エンド継手４１には枝部４１ｃを設けている。換言すると、枝部４１ｃを有する継手４１を使用することにより、各種の脚装置において上下部材４，５を共用できるのである。
【００６３】
また、受け座６における位置決め穴３０及び補助穴４２のピッチ角θとエンド脚装置２′における上下部材４，５の傾斜角度とが同じであるため、図２０に示すように、左右に隣合った受け座６をビーム３５で連結することも支障無く行える。
【００６４】
本実施形態のように１つの脚装置が前後２本の脚柱３を備えている場合、前後の脚柱３を上下複数箇所で連結したり、上下中途部を連結したりすることも共可能である。本実施形態のようにセンターフレーム４０と前後ビーム３５とで左右脚装置を連結すると、天板１が支持する骨組みをより頑丈な構造にできる利点がある。
【００６５】
図２２では脚柱３の変形例を示しており、（Ａ）では２対ずつの係合穴１０を設けている。また、（Ｂ）ではリブに代えて突条４４′を設けている。
【００６６】
(4).第４実施形態（図23）
図２３に示すのは受け座６の姿勢保持手段の別例である第４実施形態である。この実施形態では、受け座６の下向き穴２２の底面に一対の位置決め突起５０を下向きに突設する一方、上部材５のボス部２０の頂面に位置決め穴（図示せず）を複数個ずつ対称状に空けている。位置決め突起５０を上部材５のボス部２０に形成して、位置決め穴３０を受け座６に形成しても良い。
【００６７】
(5).第５実施形態（図24〜図29）
図２４〜図２９では第５実施形態を示している。図２４は一部省略平面図、図２５は一部部材を省略した状態での図２４の XXV-XXV視図、図２６は図２４の XXVI-XXVI視断面図、図２７は分離平面図、図２８は図２７の XXVIII-XXVIII視図、図２９は図２７の XXIX-XXIX視図である。
【００６８】
この実施形態は、正方形や円形の天板１を１つの脚装置２で支持するにおいて、１つの脚装置２を、４本ずつの脚柱３，下部材４，上部材５で構成したものであり、脚柱３，下部材４，上部材５は第１実施形態と同様の構造になっている。そして、下部材４の基端部４ａを平面視十字状の連結装置５１で連結している。
【００６９】
連結装置５１は、平面視十字状のセンタージョイント５２と、センタージョイント５２の各枝体に嵌合した筒状ジョイント５３とを備えている。センタージョイント５２は樹脂製であり、筒状ジョイント５３は例えば金属製押し出し成形品である。筒状ジョイント５３の上部と下部とには蟻溝部５３ａが形成されており、センタージョイント５２の各枝部には蟻溝部５３ａに嵌まる蟻ホゾ部５２ａが形成されている。
【００７０】
センタージョイント５２の各枝部にはナット５４をインサート成形等で埋設しており、このナット５４にねじ込んだねじ５５で筒状ジョイント５３をセンタージョイント５２５１に締結している。また、筒状ジョイント５３の端部には側面視コ字状の金具５６をねじ５７で固定しており、金具５６は下部材４の基部４ａにねじ５８で締結されている。
【００７１】
この実施形態では、筒状ジョイント５３として長さの違うものを容易しておくことにより、天板１の大きさの違いに対応できる。また、脚柱３の間隔が広がるため、天板１の支持安定性に優れている（従って、大型のテーブルでも１つの脚装置で支持できる）。
【００７２】
この実施形態のような連結装置５１や、既述の実施形態の継手４１，４２を使用して脚柱３を互いに離反した状態に保持できることは本願発明の特徴の１つである。なお、連結装置の金具や継手は脚柱３に締結しても良いし、脚柱３と下部材４との両方に締結することも可能である。
【００７３】
なお、連結装置５１はアルミダイキャストや射出成形によって全体を一体成形することも可能である。
【００７４】
(6).その他
本願発明は上記の実施形態の他にも様々に具体化することができる。例えば上下部材と脚柱との嵌合形態としては、脚柱の上下に突起を設け、上下部材の基端部に前記突起が嵌まる穴を形成するなどしても良い。
【００７５】
また、受け座とビームとの嵌合形態としては、受け座に例えば横向きの係止穴を形成して、この係止穴にビームを差し込むことも可能である。ビームはその中途部を天板にビスで固定しても良い。左右に隔てた受け座をビームで連結することに加えて、前後に隔てた受け座をビームで連結することも可能である。
【００７６】
また、下部材と下部材として同一部材を使用することも可能である（この場合と脚装置は上下対称の形状になる）。また、受け座に係止部を設け場合、係止部は必ずしも受け座に一体成形することには限らず、別体の部材を例えは受け座の外周等にねじ等で固定することも可能である。
【図面の簡単な説明】
【００７７】
【図１】第１実施形態に係るテーブルの一部破断平面図である。
【図２】正面図である。
【図３】図３のうち（Ａ）は分離正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【図４】（Ａ）は分離斜視図、（Ｂ）は上部材５をひっくり返した状態での部分斜視図である。
【図５】図２の V-V視断面図である。
【図６】図２のVI−VI視断面図てある。
【図７】図５の VII-VII視断面図である。
【図８】脚柱の平面図である。
【図９】上部材と受け座との分離平面図である。
【図１０】図１の X-X視断面図である。
【図１１】第２実施形態の一部省略平面図である。
【図１２】図１１のXII-XII 視図である。
【図１３】図１２のXIII−XIII視側面図である。
【図１４】受け座の部分の一部破断平面図である。
【図１５】図１４のXV−XV視断面図である。
【図１６】第３実施形態の一部破断平面図である。
【図１７】（Ａ）は図１６の側面図、（Ｂ）（Ｃ）は脚柱を（Ａ）のＢ−Ｂ，ＣＣ−線で切断した断面図である。
【図１８】図１６の XVIII-XVIII視断面図である。
【図１９】中間脚装置の分離斜視図である。
【図２０】エンド脚装置の平面図である。
【図２１】エンド継手の側面図である。
【図２２】脚柱の変形例の平面図である。
【図２３】第４実施形態を示す図である。
【図２４】第５実施形態の一部省略平面図である。
【図２５】図２４の XXV-XXV視図である。
【図２６】図２４の XXVI-XXVI視断面図である。
【図２７】分離平面図である。
【図２８】図２７の XXVIII-XXVIII視図である。
【図２９】図２７の XXIX-XXIX視図である。
【符号の説明】
【００７８】
１  天板
２，２′，２″  脚装置
３  脚柱
４  下部材
５  上部材
６  受け座
１０  係合穴
１２  上向き突起
１４  ねじ
１６  下向き突起
２０  ボス部
３５  ビーム
３６  係止部
４１，４２  継手
【図１】
2006000513.tif 000003
【図２】
2006000513.tif 000004
【図３】
2006000513.tif 000005
【図４】
2006000513.tif 000006
【図５】
2006000513.tif 000007
【図６】
2006000513.tif 000008
【図７】
2006000513.tif 000009
【図８】
2006000513.tif 000010
【図９】
2006000513.tif 000011
【図１０】
2006000513.tif 000012
【図１１】
2006000513.tif 000013
【図１２】
2006000513.tif 000014
【図１３】
2006000513.tif 000015
【図１４】
2006000513.tif 000016
【図１５】
2006000513.tif 000017
【図１６】
2006000513.tif 000018
【図１７】
2006000513.tif 000019
【図１８】
2006000513.tif 000020
【図１９】
2006000513.tif 000021
【図２０】
2006000513.tif 000022
【図２１】
2006000513.tif 000023
【図２２】
2006000513.tif 000024
【図２３】
2006000513.tif 000025
【図２４】
2006000513.tif 000026
【図２５】
2006000513.tif 000027
【図２６】
2006000513.tif 000028
【図２７】
2006000513.tif 000029
【図２８】
2006000513.tif 000030
【図２９】
2006000513.tif 000031